【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
プリント回路の第１層に対する第１レイアウトと、
前記プリント回路の第２印刷層に対する第２レイアウトとを備えるプリント回路のレイアウトであって、
前記第１レイアウトは、前記プリント回路における第１構造のセットに対応する第１の複数の特徴によって構成され、前記第１の複数の特徴の各々は独立して、前記第１の複数の特徴における別の特徴の方向と直交する方向又は平行な方向を有する第１印刷適応形状を有し、
前記第２レイアウトは、前記プリント回路における印刷構造のセットに対応する第２の複数の特徴によって構成され、前記第２の複数の特徴の各々は独立して、前記第２の複数の特徴における別の特徴の方向及び前記第１の複数の特徴における各特徴の方向と直交する方向又は平行な方向を有する第２印刷適応形状を有し、
前記第２の複数の特徴の第１サブセットは、前記第１の複数の特徴の第１サブセットと重なり、前記第１の複数の特徴の前記第１サブセットの端部に隣接する基板の一部を覆い、
前記第２の複数の特徴の第２サブセットは、前記第１の複数の特徴の第２サブセットと重なり、前記第１の複数の特徴の前記第２サブセットの端部に隣接する基板の一部を覆う、レイアウト。
【請求項２】
前記第１印刷適応形状及び前記第２印刷適応形状はそれぞれ、矩形、正方形、線、円及び楕円からなる群から独立して選択される請求項１に記載のレイアウト。
【請求項３】
前記第１の複数の特徴の各々は、第１最小長及び第１最小幅を有し、
前記第２の複数の特徴の各々は、前記第１最小長及び前記第１最小幅にそれぞれ等しい又はより大きい第２最小長及び第２最小幅を有し、
前記第１の複数の特徴は、第１最小特徴間距離を有し、
前記第２の複数の特徴は、前記第１最小特徴間距離に等しい又はより大きい第２特徴間距離を有する請求項１または２に記載のレイアウト。
【請求項４】
前記第１最小長、前記第１最小幅、前記第１最小特徴間距離、前記第２最小長、前記第２最小幅及び前記第２特徴間距離の各々は、プリンタのグリッドと相関している請求項３に記載のレイアウト。
【請求項５】
第１印刷適応形状からなるレイアウト形状をそれぞれ有する第１の複数の構造によって構成される第１層と、
第２印刷適応形状からなるレイアウト形状をそれぞれ有する第２の複数の構造によって構成される第２印刷層とを備えるプリント回路であって、
前記第１の複数の構造の各々は、前記第１の複数の構造における別の構造の方向と直交する方向又は平行な方向を有し、
前記第２の複数の構造の各々は、前記第２の複数の構造における別の構造の方向及び前記第１の複数の構造における各構造の方向と直交する方向又は平行な方向を有し、
前記第２の複数の特徴の第１サブセットは、前記第１の複数の特徴の第１サブセットと重なり、前記第１の複数の特徴の前記第１サブセットの端部に隣接する基板の一部を覆い、
前記第２の複数の特徴の第２サブセットは、前記第１の複数の特徴の第２サブセットと重なり、前記第１の複数の特徴の前記第２サブセットの端部に隣接する基板の一部を覆う、プリント回路。
【請求項６】
前記第１印刷適応形状及び前記第２印刷適応形状はそれぞれ、矩形、正方形、線、円及び楕円からなる群から独立して選択される請求項５に記載のプリント回路。
【請求項７】
前記第１の複数の構造の各々は、第１最小長及び第１最小幅を有し、
前記第１の複数の構造は、第１最小構造間距離を有し、
前記第２の複数の構造の各々は、前記第１最小長及び前記第１最小幅にそれぞれ等しい又はより大きい第２最小長及び第２最小幅を有し、
前記第２の複数の構造は、前記第１最小構造間距離に等しい又はより大きい第２構造間距離を有する請求項５または６に記載のプリント回路。
【請求項８】
前記第１最小長、前記第１最小幅、前記第１最小構造間距離、前記第２最小長、前記第２最小幅及び前記第２構造間距離の各々は、プリンタのグリッドと相関している請求項７に記載のプリント回路。
【請求項９】
前記構造の第１セットは、シリコン及びゲルマニウムの少なくとも一方の元素を含み、
前記構造の第２セットは、シリコンおよび／またはゲルマニウム含有のＩＶＡ族元素及び金属の少なくとも一方を含む請求項５から８の何れか１項に記載のプリント回路。
【請求項１０】
集積回路における１以上の層を印刷する方法であって、
第１印刷適応形状からなるレイアウト形状をそれぞれ有する第１の複数の構造によって構成される第１層を形成する段階と、
第２印刷適応形状からなるレイアウト形状をそれぞれ有する第２の複数の構造によって構成される第２層を印刷する段階とを備え、
前記第１の複数の構造の各々は、前記第１の複数の構造における別の構造の方向と直交する方向又は平行な方向を有し、
前記第２の複数の構造の各々は、前記第２の複数の構造における別の構造の方向及び前記第１の複数の構造における各構造の方向と直交する方向又は平行な方向を有し、
前記第２の複数の特徴の第１サブセットは、前記第１の複数の特徴の第１サブセットと重なり、前記第１の複数の特徴の前記第１サブセットの端部に隣接する基板の一部を覆い、
前記第２の複数の特徴の第２サブセットは、前記第１の複数の特徴の第２サブセットと重なり、前記第１の複数の特徴の前記第２サブセットの端部に隣接する基板の一部を覆う、方法。
【請求項１１】
前記第１印刷適応形状及び前記第２印刷適応形状はそれぞれ、矩形、正方形、線、円及び楕円からなる群から独立して選択される請求項１０に記載の方法。
【請求項１２】
前記第１の複数の構造の各々は、第１最小長及び第１最小幅を有し、
前記第１の複数の構造は、第１最小構造間距離を有し、
前記第２の複数の構造の各々は、前記第１最小長及び前記第１最小幅にそれぞれ等しい又はより大きい第２最小長及び第２最小幅を有し、
前記第２の複数の構造は、前記第１最小構造間距離に等しい又はより大きい第２構造間距離を有する請求項１０または１１に記載の方法。
【請求項１３】
前記第１最小長、前記第１最小幅、前記第１最小構造間距離、前記第２最小長、前記第２最小幅及び前記第２構造間距離の各々は、プリンタのグリッドと相関している請求項１２に記載の方法。
【請求項１４】
前記第２層を印刷する段階は、１以上の半導体前駆体及び金属前駆体の少なくとも一方を、前記第１層上に印刷することを含む請求項１０から１３の何れか１項に記載の方法。
【請求項１５】
前記第１層を形成する段階は、電子インク合成物を基板に印刷することを含む請求項１０から１４の何れか１項に記載の方法。
【手続補正２】
【補正対象書類名】明細書
【補正対象項目名】００６３
【補正方法】変更
【補正の内容】
【００６３】
上記には、発明の特定の実施形態を例示及び説明する目的で、これら実施形態が示されている。上記の実施形態は、本発明を開示された形式に正確に限定することは意図しておらず、様々な改良例及び変形例が、上記で教示されるところから可能であることは明らかである。上記の実施形態は、本発明の原理及び実際の適用例を、当業者が発明及び様々な変形例を伴う様々な実施形態を利用可能及び特定の利用を想定して適応するように、説明するために選択及び記載されている。本発明の範囲は、添付の特許請求の範囲及びその均等物によって規定されることを意図している。
［項目１］
プリント回路の第１層に対する第１レイアウトと、
前記プリント回路の第２印刷層に対する第２レイアウトとを備えるプリント回路のレイアウトであって、
前記第１レイアウトは、前記プリント回路における第１構造のセットに対応する第１の複数の特徴によって構成され、前記第１の複数の特徴の各々は独立して、前記第１の複数の特徴における別の特徴の方向と直交する方向又は平行な方向を有する第１印刷適応形状を有し、
前記第２レイアウトは、前記プリント回路における印刷構造のセットに対応する第２の複数の特徴によって構成され、前記第２の複数の特徴の各々は独立して、前記第２の複数の特徴における別の特徴の方向及び前記第１の複数の特徴における各特徴の方向と直交する方向又は平行な方向を有する第２印刷適応形状を有し、
前記第２の複数の特徴の第１サブセット及び第２サブセットはそれぞれ、前記第１の複数の特徴の第１サブセット及び第２サブセットと重なり合っている、レイアウト。
［項目２］
前記第１印刷適応形状及び前記第２印刷適応形状はそれぞれ、矩形、正方形、線、円及び楕円からなる群から独立して選択される項目１に記載のレイアウト。
［項目３］
前記第１の複数の特徴の各々は、長さ及び幅を有する矩形、正方形又は線によって構成され、
前記第１の複数の特徴の各々の前記長さ及び前記幅は、前記第１の複数の特徴におけるその他の特徴の前記長さ及び前記幅に対して、直交している又は平行である項目２に記載のレイアウト。
［項目４］
前記第２の複数の特徴の各々は、長さ及び幅を有する矩形又は線によって構成され、
前記第２の複数の特徴の各々の前記長さ及び前記幅は、前記第１の複数の特徴及び前記第２の複数の特徴におけるその他の特徴の前記長さ及び前記幅に対して、直交している又は平行である項目３に記載のレイアウト。
［項目５］
前記第１の複数の特徴の各々は、前記矩形又は前記正方形によって構成され、
前記第２の複数の特徴の各々は、直径を有する円、又は、最大長及び最大幅を有する楕円によって構成されている項目３に記載のレイアウト。
［項目６］
前記第１の複数の特徴の前記第１サブセットの特徴各々の前記長さ及び前記幅は、前記第２の複数の特徴の前記第１サブセットの特徴各々の前記直径及び前記最大幅の少なくとも一方よりも大きく、
前記第１の複数の特徴の前記第２サブセットの特徴各々の前記長さ及び前記幅は、前記第２の複数の特徴の前記第２サブセットの特徴各々の前記直径及び前記最大幅の少なくとも一方よりも大きい項目５に記載のレイアウト。
［項目７］
前記第２の複数の特徴の各々は、前記第１の複数の特徴の各々の幅よりも大きな長さ又は幅を有する項目１に記載のレイアウト。
［項目８］
前記第１の複数の特徴の各々は、第１最小長及び第１最小幅を有し、
前記第２の複数の特徴の各々は、前記第１最小長及び前記第１最小幅にそれぞれ等しい又はより大きい第２最小長及び第２最小幅を有する項目７に記載のレイアウト。
［項目９］
前記第１の複数の特徴は、第１最小特徴間距離を有し、
前記第２の複数の特徴は、前記第１最小特徴間距離に等しい又はより大きい第２特徴間距離を有する項目８に記載のレイアウト。
［項目１０］
前記第１最小長、前記第１最小幅、前記第１最小特徴間距離、前記第２最小長、前記第２最小幅及び前記第２特徴間距離の各々は、プリンタのグリッドと相関している項目９に記載のレイアウト。
［項目１１］
第１印刷適応形状からなるレイアウト形状をそれぞれ有する第１の複数の構造によって構成される第１層と、
第２印刷適応形状からなるレイアウト形状をそれぞれ有する第２の複数の構造によって構成される第２印刷層とを備えるプリント回路であって、
前記第１の複数の構造の各々は、前記第１の複数の構造における別の構造の方向と直交する方向又は平行な方向を有し、
前記第２の複数の構造の各々は、前記第２の複数の構造における別の構造の方向及び前記第１の複数の構造における各構造の方向と直交する方向又は平行な方向を有し、
前記第２の複数の構造の第１サブセット及び第２サブセットはそれぞれ、前記第１の複数の構造の第１サブセット及び第２サブセットと重なり合っている、プリント回路。
［項目１２］
前記第１印刷適応形状及び前記第２印刷適応形状はそれぞれ、矩形、正方形、線、円及び楕円からなる群から独立して選択される項目１１に記載のプリント回路。
［項目１３］
前記第１の複数の構造の各々は、長さ及び幅を有する矩形、正方形又は線によって構成され、
前記第１の複数の構造の各々の前記長さ及び前記幅は、前記第１の複数の構造におけるその他の構造の前記長さ及び前記幅に対して、直交している又は平行である項目１２に記載のプリント回路。
［項目１４］
前記第１の複数の構造の各々は、前記矩形又は前記正方形によって構成され、
前記第２の複数の構造の各々は、直径を有する円、又は、最大長及び最大幅を有する楕円によって構成されている項目１３に記載のプリント回路。
［項目１５］
前記第１の複数の構造の前記第１サブセットの構造各々の長さ及び幅は、前記第２の複数の構造の前記第１サブセットの構造各々の直径及び最大幅の少なくとも一方よりも大きく、
前記第１の複数の構造の前記第２サブセットの構造各々の長さ及び幅は、前記第２の複数の構造の前記第２サブセットの構造各々の直径及び最大幅の少なくとも一方よりも大きい項目１１に記載のプリント回路。
［項目１６］
前記第１の複数の構造の各々は、第１最小長及び第１最小幅を有し、
前記第１の複数の構造は、第１最小構造間距離を有し、
前記第２の複数の構造の各々は、前記第１最小長及び前記第１最小幅にそれぞれ等しい又はより大きい第２最小長及び第２最小幅を有し、
前記第２の複数の構造は、前記第１最小構造間距離に等しい又はより大きい第２構造間距離を有する項目１５に記載のプリント回路。
［項目１７］
前記第１最小長、前記第１最小幅、前記第１最小構造間距離、前記第２最小長、前記第２最小幅及び前記第２構造間距離の各々は、プリンタのグリッドと相関している項目１６に記載のプリント回路。
［項目１８］
前記構造の第１セットは、シリコン及びゲルマニウムの少なくとも一方の元素を含み、
前記構造の第２セットは、ＩＶＡ族元素及び金属の少なくとも一方を含む項目１１に記載のプリント回路。
［項目１９］
集積回路における１以上の層を印刷する方法であって、
第１印刷適応形状からなるレイアウト形状をそれぞれ有する第１の複数の構造によって構成される第１層を形成する段階と、
第２印刷適応形状からなるレイアウト形状をそれぞれ有する第２の複数の構造によって構成される第２層を印刷する段階とを備え、
前記第１の複数の構造の各々は、前記第１の複数の構造における別の構造の方向と直交する方向又は平行な方向を有し、
前記第２の複数の構造の各々は、前記第２の複数の構造における別の構造の方向及び前記第１の複数の構造における各構造の方向と直交する方向又は平行な方向を有し、
前記第２の複数の構造の第１サブセット及び第２サブセットはそれぞれ、前記第１の複数の構造の第１サブセット及び第２サブセットと重なり合っている、方法。
［項目２０］
前記第１印刷適応形状及び前記第２印刷適応形状はそれぞれ、矩形、正方形、線、円及び楕円からなる群から独立して選択される項目１９に記載の方法。
［項目２１］
前記第１の複数の構造の各々は、長さ及び幅を有する矩形、正方形又は線によって構成され、
前記第２の複数の構造の各々は、長さ及び幅を有する矩形又は線によって構成され、
前記第１の複数の構造の各々の前記長さ及び前記幅は、前記第１の複数の構造におけるその他の構造の前記長さ及び前記幅に対して、直交している又は平行であり、
前記第２の複数の構造の各々の前記長さ及び前記幅は、前記第１の複数の構造及び前記第２の複数の構造におけるその他の構造の前記長さ及び前記幅に対して、直交している又は平行である項目２０に記載の方法。
［項目２２］
前記第１の複数の構造の各々は、前記矩形又は前記正方形によって構成され、
前記第２の複数の構造の各々は、直径を有する円又は最大長及び最大幅を有する楕円によって構成され、
前記第１の複数の構造の前記第１サブセットの構造各々の前記長さ及び前記幅は、前記第２の複数の構造の前記第１サブセットの構造各々の前記直径及び前記最大幅の少なくとも一方よりも大きく、
前記第１の複数の構造の前記第２サブセットの構造各々の前記長さ及び前記幅は、前記第２の複数の構造の前記第２サブセットの構造各々の前記直径及び前記最大幅の少なくとも一方よりも大きい項目２０に記載の方法。
［項目２３］
前記第１の複数の構造の各々は、第１最小長及び第１最小幅を有し、
前記第１の複数の構造は、第１最小構造間距離を有し、
前記第２の複数の構造の各々は、前記第１最小長及び前記第１最小幅にそれぞれ等しい又はより大きい第２最小長及び第２最小幅を有し、
前記第２の複数の構造は、前記第１最小構造間距離に等しい又はより大きい第２構造間距離を有する項目１９に記載の方法。
［項目２４］
前記第１最小長、前記第１最小幅、前記第１最小構造間距離、前記第２最小長、前記第２最小幅及び前記第２構造間距離の各々は、プリンタのグリッドと相関している項目２３に記載の方法。
［項目２５］
前記第２層を印刷する段階は、１以上の半導体前駆体及び金属前駆体の少なくとも一方を、前記第１層上に印刷することを含む項目１９に記載の方法。
［項目２６］
前記第１層を形成する段階は、電子インク合成物を基板に印刷することを含む項目２５に記載の方法。